(57)【要約】【課題】空気流に起因する風きり音、振動音が低減された空気調和装置の室外ユニットを提供する【解決手段】室外熱交換器１３と、ファン２９と、ファンを駆動するモータ７０と、モータを支えるモータ支持台６３とを備えている。ファン２９は、室外熱交換器１３に空気を当て、冷媒と空気の熱交換を促進する。モータ支持台６３には、整流部材６４が設けられており、この整流部材６４は、モータ支持台６３に向かって流れてくる空気を所定の方向へ偏向させる。【選択図】図２
2007147249.tif 000002
【特許請求の範囲】
【請求項１】
熱交換器（１３）に空気を当て冷媒と空気の熱交換を促進するファン（２９）と、
前記ファン（２９）を駆動するモータ（７０）と、
前記モータ（７０）を支えるモータ支持台（６３）と、
を備え、
前記モータ支持台（６３）には、前記モータ支持台（６３）に向かって流れてくる空気を所定の方向へ偏向させる整流部材（６４）が設けられている、
空気調和装置の室外ユニット（２）。
【請求項２】
前記整流部材（６４）は、空気流の上流側から下流側への方向と直交する面への投影面積が、空気流の上流側から下流側に向かって徐々に拡大する偏向部（６４ａ）を有する、
請求項１に記載の空気調和装置の室外ユニット（２）。
【請求項３】
前記偏向部（６４ａ）の断面形状が三角形である、
請求項２記載の空気調和装置の室外ユニット（２）。
【請求項４】
前記整流部材（６４）は、前記偏向部（６４ａ）の、空気流の下流側の端部から、モータ（７０）の回転軸とほぼ並行に伸びるガイド部（６４ｂ）を有する、
請求項１から３のいずれか１項に記載の空気調和装置の室外ユニット（２）。
【請求項５】
熱交換器（１３）に空気を当て冷媒と空気の熱交換を促進するファン（２９）と、
前記ファン（２９）を駆動するモータ（７０）と、
前記モータ（７０）を支えるモータ支持台（１６３）と、
前記モータ支持台（１６３）に向かって流れてくる空気を所定の方向へ偏向させる整流部材（１６４）と、
を備え、
前記モータ支持台（１６３）は、断面形状がコの字状を成すように形成され、一方向へ開いた開口（１６３ｄ）を有し、
前記整流部材（１６４）は、空気流の上流側から下流側への方向と直交する面への投影面積が、空気流の上流側から下流側に向かって徐々に拡大する偏向部（１６４ａ）と、前記偏向部（１６４ａ）の、空気流の下流側の端部から、モータ（７０）の回転軸とほぼ並行に伸びるガイド部（１６４ｂ）とを有し、
前記モータ支持台（１６３）の開口（１６３ｄ）側に、前記整流部材（１６４）のガイド部（１６４ｂ）が対峙する、
空気調和装置の室外ユニット（２）。
【請求項６】
前記モータ支持台（１６３）と前記整流部材（１６４）との隙間に、空気の通り抜けを抑制するシール部材（１６５，１６６）が設けられている、
請求項５に記載の空気調和装置の室外ユニット（２）。
【請求項７】
前記シール部材（１６５，１６６）は、前記モータ支持台（１６３）と前記整流部材（１６４）とを組み付ける際に圧縮される、
請求項６に記載の空気調和装置の室外ユニット（２）。
【発明の詳細な説明】
【技術分野】
【０００１】
本発明は、空気調和装置の室外ユニット、特に、ファンを回転駆動するモータが、ファンに対して空気流の上流側に配置されている空気調和装置の室外ユニットに関する。
【背景技術】
【０００２】
空気調和装置として、１つ又は複数の室外ユニットに対して複数の室内ユニットが接続されている、いわゆるビル用マルチタイプの空気調和装置がある。このような装置では、室外ユニットは一般にビルの屋上に設置され、この室外ユニットとビルの各室に設けられた室内ユニットとの間で冷媒が流通できるように、冷媒回路が形成されている。
従来の空気調和装置における室外ユニットは、直方体形状のケースを有しており、このケース内には熱交換器、圧縮機や他の構成部品が設けられている。そして、ケースの上部にはファン及びこのファンを駆動するためのモータが設けられている。
【０００３】
このような室外ユニットのモータは、モータ支持台に固定された状態で、ファンに対して空気流の上流側に配置されている（例えば、特許文献１参照）。
【特許文献１】特開２００４−３７００７号公報
【発明の開示】
【発明が解決しようとする課題】
【０００４】
従来の室外ユニットにおいて、モータ支持台は、重量物であるモータを固定するため、断面形状がコの字状を成すように形成され、剛性が確保されている。モータ支持台の下面は、空気の流れ方向に対してほぼ直角に対向しているので、空気流に対する抵抗となり、風きり音や振動音が発生する。モータの回転数が低下すれば、風量が減少し、風きり音や振動音も減少するが、空気調和装置の性能も低下することとなる。
【０００５】
本発明の課題は、空気流とモータ支持台に起因して発生する騒音が低減される、空気調和装置の室外ユニットを提供することである。
【課題を解決するための手段】
【０００６】
第１発明に記載の空気調和装置の室外ユニットは、室外熱交換器と、ファンと、ファンを駆動するモータと、モータを支えるモータ支持台とを備えている。ファンは、室外熱交換器に空気を当て、冷媒と空気の熱交換を促進する。モータ支持台には、整流部材が設けられており、この整流部材は、モータ支持台に向かって流れてくる空気を所定の方向へ偏向させる。
【０００７】
この室外ユニットでは、室外熱交換器を通過して上昇してくる空気流が、整流部材によって偏向され、空気流はモータ支持台を避けるように流れる。このため、モータ支持台に空気流が直接当たらず、空気流に対する抵抗が小さくなり、風きり音が減少する。その結果、整流部材がない場合よりもファン回転数を上げることが可能となり、風量の増加によって空気調和装置の性能が向上する。
【０００８】
第２発明に記載の空気調和装置の室外ユニットは、第１発明に記載の空気調和装置の室外ユニットであって、整流部材が偏向部を有する。この偏向部では、空気流の上流側から下流側への方向と直交する面への投影面積が、空気流の上流側から下流側に向かって徐々に拡大している。
ここでは、偏向部によって、空気流が徐々に偏向され、モータ支持台の空気流に対する抵抗が小さくなり、空気流がモータ支持台を通過する際の風きり音が減少する。
【０００９】
第３発明に記載の空気調和装置の室外ユニットは、第２発明に記載の空気調和装置の室外ユニットであって、偏向部の断面形状が三角形である。
ここでは、断面形状が三角形の偏向部によって、空気流が徐々に偏向され、モータ支持台の空気流に対する抵抗が小さくなり、空気流がモータ支持台を通過する際の風きり音が減少する。
【００１０】
第４発明に記載の空気調和装置の室外ユニットは、第１発明から第３発明のいずれかに記載の空気調和装置の室外ユニットであって、整流部材がガイド部を有する。ガイド部は、偏向部の、空気流の下流側の端部から、モータの回転軸とほぼ並行に伸びている。
ここでは、偏向部によって偏向された空気流は、ガイド部によって、再び、偏向される前の方向に導かれる。このため、ファンに流入する空気流の方向が、ほぼ同一の方向へ統一される。したがって、ファンと空気流との干渉音は、ファンに流入する空気流の方向が統一されていないときよりも単調になり、異音の発生が抑制される。
【００１１】
第５発明に記載の空気調和装置の室外ユニットは、熱交換器と、ファンと、モータを駆動するモータと、モータを支えるモータ支持台とを備えている。ファンは、熱交換器に空気を当て、冷媒と空気の熱交換を促進する。モータ支持台には、整流部材が設けられており、この整流部材は、モータ支持台に向かって流れてくる空気を所定の方向へ偏向させる。モータ支持台は、断面形状がコの字状を成すように形成され、一方向へ開いた開口を有している。整流部材は、偏向部とガイド部から成る。偏向部では、空気流の上流側から下流側への方向と直交する面への投影面積が、空気流の上流側から下流側に向かって徐々に拡大している。ガイド部は、偏向部の、空気流の下流側の端部から、モータの回転軸とほぼ並行に伸びている。また、ガイド部は、モータ支持台の開口と対峙している。
【００１２】
ここでは、偏向部によって、空気流が徐々に偏向されるので、空気流は、モータ支持台を避けるように流れる。このため、モータ支持台の空気流に対する抵抗が小さくなり、空気流がモータ支持台を通過する際の風きり音が減少する。さらに、ガイド部がモータ支持台の開口を塞いでいるので、開口内での空気流の渦が減少し、その結果、空気流の渦に起因する振動音も減少する。
【００１３】
第６発明に記載の空気調和装置の室外ユニットは、第５発明に記載の空気調和装置の室外ユニットであって、モータ支持台と整流部材との隙間に、空気の通り抜けを抑制するシール部材が設けられている。
ここでは、モータ支持台へ整流部材を組付けた際に生じる部品間の隙間が、シール部材によって塞がれ、隙間からの空気流入が抑制され、或いは流入した空気が途中で塞き止められる。このため、空気が隙間をほとんど通過せず、風きり音の発生が減少する。
【００１４】
第７発明に記載の空気調和装置の室外ユニットは、第６発明に記載の空気調和装置の室外ユニットであって、モータ支持台と整流部材が組み付けられる際に、シール部材が圧縮される。
ここでは、例えば、モータ支持台と整流部材との隙間よりも大きい厚さ寸法のシール部材が、予め隙間発生箇所に貼付されることによって、シール部材は、モータ支持台と整流部材をビスで締め付けた際に、圧縮され、モータ支持台と整流部材の双方に密着する。このため、シールの不完全箇所がほぼなくなり、空気流の進入が抑制され、風きり音の発生が減少する。
【発明の効果】
【００１５】
第１発明から第３発明に係る空気調和装置の室外ユニットでは、モータ支持台に空気流が直接当たらず、空気流に対する抵抗が小さくなり、風きり音が減少する。
第４発明に係る空気調和装置の室外ユニットでは、ファンに流入する空気流の方向が、ほぼ同一の方向へ統一される。したがって、ファンと空気流との干渉音は、ファンに流入する空気流の方向が統一されていないときよりも単調になり、異音の発生が抑制される。
【００１６】
第５発明に係る空気調和装置の室外ユニットでは、空気流に対する抵抗が小さくなり、風きり音が減少し、さらに、空気流の渦に起因するモータ支持台の振動が抑制され、騒音が減少する。
第６発明と第７発明に係る空気調和装置の室外ユニットでは、シール部材が、モータ支持台と整流部材の双方に密着し、空気流の進入が抑制され、風きり音の発生が減少する。
【発明を実施するための最良の形態】
【００１７】
〔第１実施形態〕
＜空気調和装置の構成＞
本発明の第１実施形態に係る室外ユニットを含む空気調和装置の冷媒回路を、図１に示す。空気調和装置１は、ビル用のマルチタイプの空気調和装置であって、１つ又は複数の室外ユニット２に対して複数の室内ユニット３が並列に接続され、冷媒が流通できるように、冷媒回路１０が形成されている。
【００１８】
圧縮機１１、四路切換弁１２、室外熱交換器１３および室外膨張弁１４は室外ユニット２に含まれており、室内膨張弁１５および室内熱交換器１６は室内ユニット３に含まれている。また、四路切換弁１２と室内熱交換器１６との間はガス側冷媒連絡配管１７ａにより接続され、室外膨張弁１４と室内膨張弁１５との間は液側冷媒連絡配管１７ｂにより接続される。室外ユニット２の内部冷媒回路の端末部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。
なお、実際の圧縮機１１は、インバータによる回転数制御を行う容量可変のインバータ圧縮機と、オンオフ制御がなされる定容量の定容量圧縮機とが組み合わされて用いられるものが多い。
【００１９】
＜空気調和装置の動作＞
次にこの空気調和装置１の運転動作について説明する。
【００２０】
まず、冷房運転時は、四路切換弁１２が図１において実線で示す状態に保持される。圧縮機１１から吐出された高温高圧のガス冷媒は、四路切換弁１２を介して室外熱交換器１３に流入し、室外空気と熱交換して凝縮・液化する。液化した冷媒は、全開状態の室外膨張弁１４を通過し、液側冷媒連絡配管１７ｂを通って各室内ユニット３に流入する。室内ユニット３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内へと吹き出され、室内を冷房する。また、室内熱交換器１６で蒸発して気化した冷媒は、ガス側冷媒連絡配管１７ａを通って室外ユニット２に戻り、圧縮機１１に吸い込まれる。
【００２１】
一方、暖房運転時は、四路切換弁１２が図１において破線で示す状態に保持される。圧縮機１１から吐出された高温高圧のガス冷媒は、四路切換弁１２を介して各室内ユニット３の室内熱交換器１６に流入し、室内空気と熱交換して凝縮・液化する。冷媒の凝縮によって加熱された室内空気は、室内ファンによって室内へと吹き出され、室内を暖房する。室内熱交換器１６において液化した冷媒は、全開状態の室内膨張弁１５から液側冷媒連絡配管１７ｂを通って室外ユニット２に戻る。室外ユニット２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸い込まれる。
【００２２】
＜室外ユニットの構成＞
次に、図２から図４を参照して、室外ユニット２について説明する。図２は、室外ユニット２の内部構造を表した縦断面図であり、図３は、構成部品の一部を取り除いた室外ユニット２の外観を表した斜視図である。
図２、図３に示すように、室外ユニット２は、ケース２０と、冷媒回路１０の室外側部分を有する。冷媒回路１０の室外側は、圧縮機１１、室外熱交換器１３等から成る。ケース２０は、前板２１、右側板２２、後板２３、左側板２４、天板２５、底板６１によって、ほぼ直方体形状に形成されている。
【００２３】
圧縮機１１、室外熱交換器１３は、底板６１上に配置されている。本実施形態では、室外熱交換器１３は、右側板２２、後板２３、左側板２４の各内面に沿うように配置されている。
前板２１は、後述する側板２２，２４の端部に一体に形成された支柱５１，５２にビス締結によって固定されている。後板２３は、後述する側板２２，２４の端部に一体に形成された支柱５３，５４にビス締結によって固定されている。後板２３の室外熱交換器１３と対峙する領域は、空気導入用として開口（図示せず）しており、その開口には、保護金網（図示せず）が装着されている。
【００２４】
右側板２２、左側板２４は、空気導入口として、複数の通気部２０ａを有し、通気部２０ａの形状は四角形の孔である。本実施形態では、２つの側板２２，２４ともに、２列８段の合計１６個の通気部２０ａを有し、最上段の通気部２０ａ上辺は、室外熱交換器１３の鉛直方向の最上部より高く位置し、最下段の通気部２０ａ下辺は、室外熱交換器１３の鉛直方向の最下部とほぼ同じ高さに位置する。
【００２５】
なお、最上段２列の通気部２０ａの上辺からケース２０内側へ向かって、板部２０ｂが形成されている。板部２０ｂは、ケース２０を組み立てた際に、室外熱交換器１３上端の上側に位置し、室外熱交換器１３と、側板２２，２４との隙間を覆う。これは、通気部２０ａから吸い込まれた空気が室外熱交換器１３を通過せずに、その隙間を通ってファン２９に回り込むことを抑制するためであり、板部２０ｂは、空気の流れに対する抵抗板としての機能を果たしている。
【００２６】
天板２５は、中央部に円状の開口が形成されており、この開口を含むケース２０の上部に、ファン２９が回転自在に配置されている。ファン２９の周囲は、ベルマウス２９ａで囲まれている。天板２５の上側には、円状の開口を覆うように、格子状に形成された軟鋼線のファンカバー３０が装着されている。ファン２９は、その下方に配置されたモータ７０により回転駆動される。
【００２７】
ケース２０内の上部で、且つ前板２１寄りの位置には、制御ボックス４１が配置されており、制御ボックス４１は、内部に、空気調和装置１の動作を制御する制御基板を備えている。
支持梁６２は、後述のモータ支持台６３を保持する部材であり、前板２１側の支持梁６２と、後板２３側の支持梁６２とから成る。前板２１側の支持梁６２は、ケース２０上部に位置し、その両端は支柱５１，５２に固定されている。後板２３側の支持梁６２は、ケース２０上部に位置し、その両端は支柱５３，５４に固定されている。
【００２８】
モータ支持台６３は、モータ７０を固定する部材であり、２本並んで設けられている。２本のモータ支持台６３は、ともに一端は前板２１側の支持梁６２に保持され、他端は後板２３側の支持梁６２に保持されている。
モータ７０は、モータ本体７０ａと固定部７０ｂから成る。モータ本体７０ａは、回転の駆動源であり、固定部７０ｂは、モータ本体７０ａを２本のモータ支持台６３に固定する部材である。モータ７０の固定部７０ｂがモータ支持台６３に固定される位置は、機種によって異なり、モータ支持台６３のほぼ中央に固定される機種と、モータ支持台６３の後寄り（後板２３寄り）に固定される機種がある。本実施形態では、モータ７０の固定部７０ｂは、２本のモータ支持台６３のほぼ中央に位置し、ビス７１によってモータ支持台６３に締結される。モータ支持台６３の下方には、整流部材６４が装着されており、モータ支持台６３の下部を覆っている。
【００２９】
＜室外ユニットにおけるモータ支持台と整流部材の構造＞
図４は、モータ支持台６３と整流部材６４の配置を示す断面図であり、図４に示すように、モータ支持台６３は、重量物であるモータ７０を固定するために、高い剛性が必要である。そのため、第１プレート６３ａと、第２プレート６３ｂと、第３プレート６３ｃとによって、断面形状がコの字状になるように形成されている。第１プレート６３ａは、空気流Ａ１，Ａ２の上流側に位置し、第２プレート６３ｂは、空気流Ａ１，Ａ２の下流側に位置し、第３プレート６３ｃは、第１プレート６３ａと第２プレート６３ｂとの間に位置する。なお、開口６３ｄは、第１プレート６３ａと第２プレート６３ｂと第３プレート６３ｃとで囲まれた空間の入口である。本実施形態のモータ支持台６３では、厚さ２．３ｍｍの亜鉛鋼板が曲げ加工されることによって、第１プレート６３ａと第２プレート６３ｂと第３プレート６３ｃとが一体に形成されている。
【００３０】
整流部材６４は、偏向部６４ａと、ガイド部６４ｂとで構成されている。偏向部６４ａは、モータ支持台６３の第１プレート６３ａを覆い、ガイド部６４ｂは、モータ支持台６３の開口６３ｄを覆う。偏向部６４ａは、断面形状が三角になるように形成された棒状の部材であり、その三角の一頂点は、空気流Ａ１，Ａ２の上流側に向いている。なお、偏向部６４ａの断面形状は、三角形に限定されるものではなく、空気流Ａ１，Ａ２の上流側から下流側への方向と直交する面への投影面積が、空気流Ａ１，Ａ２の上流側から下流側に向かって徐々に拡大する形状であるならばよい。例えば、円弧状、尖塔状などの形状が適しているが、空気抵抗の小さい尖塔状が好ましい。
【００３１】
整流部材６４のガイド部６４ｂは、偏向部６４ａの端部から、モータ７０の回転軸と並行に伸びている。なお、上述の偏向部６４ａの端部とは、空気流Ａ１，Ａ２の下流側の端部のことである。また、整流部材６４のガイド部６４ｂは、モータ支持台６３の開口６３ｄを覆うように、開口６３ｄと対峙している。本実施形態の整流部材では、厚さ１ｍｍの亜鉛鋼板が曲げ加工されることによって、偏向部６４ａとガイド部６４ｂとが一体に形成されている。
【００３２】
また、本実施形態では、モータ支持台６３の第１プレート６３ａと、整流部材６４の偏向部６４ａは溶接によって連結されている。その第１溶接位置６５は、第１プレート６３ａの第３プレート６３ｃ側端部と、偏向部６４ａの空気流下流側端部との接点である。第２溶接位置６６は、モータ支持台６３の第２プレート６３ｂの開口６３ｄ側端部と、ガイド部６４ｂの空気流下流側端部との接点である。
【００３３】
＜室外ユニットにおける整流部材の機能＞
図２において、モータ７０がファン２９を回転させることによって、側板２２，２４の通気部２０ａ、後板２３の開口（図示せず）から、空気が吸い込まれる。吸い込まれた空気は空気流となって、室外熱交換器１３を通過し、ファン２９に向かって上昇してくる。しかし、モータ支持台６３に向かって流れてきた空気流は、整流部材６４の偏向部６４ａによって、モータ支持台６３を避けるように偏向される。そして、偏向部６４ａを経た空気流は、ガイド部６４ｂによって、再び、偏向される前の方向に戻される。
【００３４】
仮に、空気流が、その偏向された方向のまま維持された場合、ファン２９の回転軸と所定の角度を持って、ファン２９に吸い込まれる。ファン２９の回転軸と並行に吸い込まれる空気流と、ファン２９の回転軸と所定の角度を持って吸い込まれる空気流とが、ファン２９と干渉するため、異なる種類の干渉音が複合した音が発生し、異音のように感じられる。しかし、ガイド部６４ｂが、空気流の方向を、偏向される前の方向に戻すことによって、ファン２９に吸い込まれる空気流の方向は、ファン２９の回転軸と並行な方向にほぼ統一される。したがって、ファンと空気流との干渉音は、ファンに流入する空気流の方向が統一されていないときよりも単調になり、異音の発生が抑制される。
ファン２９に吸い込まれた空気流は、ベルマウス２９ａを経て室外ユニット２の外側へ放出される。
【００３５】
＜特徴＞
この空気調和装置の室外ユニット２では、モータ支持台６３が、第１プレート６３ａと、第２プレート６３ｂと、第３プレート６３ｃとによって、断面形状がコの字状を成すように形成されている。第１プレート６３ａは、空気流Ａ１，Ａ２の上流側に位置し、第２プレート６３ｂは、空気流Ａ１，Ａ２の下流側に位置し、第３プレート６３ｃは、第１プレート６３ａと第２プレート６３ｂとの間に位置する。第１プレート６３ａと、第２プレート６３ｂと、第３プレート６３ｃとで囲まれた空間の入口が、開口６３ｄである。モータ支持台６３には、空気流の上流側から流れてくる空気を所定の方向へ偏向させる整流部材６４が設けられている。整流部材６４は、偏向部６４ａとガイド部６４ｂを有する。偏向部６４ａの断面形状は三角形であり、その頂点が空気流の下流側へ向いた状態で、第１プレート６３ａの下方に配置されている。すなわち、偏向部６４ａは、空気流の上流側から下流側への方向と直交する面への投影面積が、空気流の上流側から下流側に向かって徐々に拡大している。一方、ガイド部６４ｂは、偏向部６４ａの、空気流の下流側の端部から、モータ７０の回転軸とほぼ並行に伸びており、開口６３ｄを概ね覆っている。室外熱交換器１３を通過して上昇してくる空気流は、整流部材６４の偏向部６４ａによって偏向され、モータ支持台６３を避けるように流れる。偏向部６４ａによって偏向された空気流は、ガイド部６４ｂによって、再び、偏向される前の方向に導かれる。
【００３６】
これにより、モータ支持台６３に空気流が直接当たらず、空気流に対する抵抗が小さくなり、風きり音が減少する。また、開口６３ｄは覆われているので、空気流の進入による渦の発生がほとんど無く、渦による振動音は発生しない。さらに、モータ支持台６３を通過しファン２９に流入する空気流の方向は、ほぼ同一の方向へ統一されるので、ファンと空気流との干渉音が、ファンに流入する空気流の方向が統一されていないときよりも単調になり、異音の発生が抑制される。
【００３７】
この結果、特許文献１（特開２００４−３７００７号公報）にあるような従来の空気調和装置の室外ユニットと比べて騒音が減少する。騒音が減少したことによって、ファン２９の回転数を上げることも可能となり、その場合、風量の増加によって空気調和装置の性能が向上する。
〔第２実施形態〕
次に、本発明の第２実施形態に係る空気調和装置の室外ユニットについて、図５〜図７を参照しながら説明する。なお、空気調和装置の構成、動作、及び室外ユニットにおいて、第１実施形態と同様である部分については、説明を省略する。
【００３８】
第１実施形態では、モータ支持台と整流部材とは、溶接によって連結されていたが、必ずしもこれに限定されるものではなく、例えば、ビスによる締結によって連結されてもよい。
図５は、モータ支持台１６３と整流部材１６４との配置を示す断面図である。図６は、モータ支持台１６３と整流部材１６４の配置を示す斜視図である。図７は、モータ支持台１６３と整流部材１６４との配置を示す分解斜視図である。
【００３９】
＜モータ支持台の構造＞
図５、図６に示すように、モータ支持台１６３は、第１プレート１６３ａと、第２プレート１６３ｂと、第３プレート１６３ｃとによって、断面形状がコの字状になるように形成されている。第１プレート１６３ａは、空気流Ａ１，Ａ２の上流側に位置し、第２プレート１６３ｂは、空気流Ａ１，Ａ２の下流側に位置し、第３プレート１６３ｃは、第１プレート１６３ａと第２プレート１６３ｂとの間に位置する。なお、開口１６３ｄは、第１プレート１６３ａと第２プレート１６３ｂと第３プレート１６３ｃとで囲まれた空間の入口である。
【００４０】
＜整流部材の構造＞
図５、図６に示すように、整流部材１６４は、偏向部１６４ａと、ガイド部１６４ｂとで構成されている。偏向部１６４ａは、モータ支持台１６３の第１プレート１６３ａを覆っている。整流部材１６４のガイド部１６４ｂは、偏向部１６４ａの端部から、モータ７０の回転軸と並行に伸びている。なお、上述の偏向部１６４ａの端部とは、空気流Ａ１，Ａ２の下流側の端部のことである。整流部材１６４のガイド部１６４ｂは、モータ支持台１６３の開口１６３ｄを半ば覆うように、開口１６３ｄと対峙している。
【００４１】
モータ支持台１６３と整流部材１６４とは、ビス１６７によって締結されている。図７に示すように、モータ支持台１６３の第１プレート１６３ａには、ビス１６７と螺合するビス孔１６３ｅが設けられている。整流部材１６４の偏向部１６４ａにおいて、モータ支持台１６３のビス孔１６３ｅと対応する箇所に、ビス１６７の頭部が接するビス座１６４ｃが形成されている。本実施形態では、先ず、ビス座１６４ｃとなる領域と隣接するように、スリット１６４ｄが穿孔によって形成される。その後、ビス座１６４ｃとなる領域が、モータ支持台１６３の第１プレート１６３ａ側へ近づく方向へ押し出され、ビス座１６４ｃが形成される。最後に、ビス座１６４ｃの中央に、ビス１６７と螺合するビス孔１６４ｅが穿孔によって形成される。
【００４２】
＜シール部材の構造＞
図５、図６に示すように、モータ支持台１６３と整流部材１６４を締結したとき、モータ支持台１６３の第１プレート１６３ａと、整流部材１６４の偏向部１６４ａ端部との間に、隙間Ｓが形成される。隙間Ｓは、モータ支持台１６３の第１プレート１６３ａと、整流部材１６４の偏向部１６４ａ端部との干渉を防止する上で重要である。本実施形態では、隙間Ｓの寸法は１ｍｍに設定されている。
【００４３】
一方、この隙間Ｓ内を空気流が通過した場合、風きり音が発生するので、空気流が隙間Ｓを通過できないように、隙間Ｓ内には、帯状のシール部材１６５が配置されている。本実施形態では、シール部材１６５は、ポリウレタン等の弾力性に富んだ熱可塑性樹脂を基板としており、少なくとも片面に粘着テープを有している。また、シール部材１６５の全長寸法は、整流部材１６４の全長寸法とほぼ同程度に設定され、シール部１６５の厚み寸法は、３ｍｍに設定されている。シール部材１６５は、隙間Ｓが形成される位置に予め貼り付けられて、モータ支持台１６３と整流部材１６４が締結された際に、モータ支持台１６３の第１プレート１６３ａと、整流部材１６４の偏向部１６４ａ端部エッジによって圧縮される。これによって、隙間Ｓは、完全に塞がれる。
【００４４】
また、ビス座１６４ｃ両端のスリット１６４ｄにも、シール部材１６６が設けられている。本実施形態では、シール部材１６６は、ポリウレタン等の弾力性に富んだ熱可塑性樹脂を基板として、少なくとも片面に粘着テープを有している。シール部材１６６は、予め、ビス座１６４ｃの両端を基準位置として、スリット１６４ｄを完全に覆うように貼り付けられ、モータ支持台１６３と整流部材１６４が締結された際に、モータ支持台１６３の第１プレート１６３ａと、整流部材１６４の偏向部１６４ａに挟まれ、圧縮される。圧縮されたシール部材１６６は、スリット１６４ｄの開口へ押し出されるので、スリット１６４ｄは、シール部材１６６によって完全に塞がれる。
【００４５】
モータ支持台１６３の第１プレート１６３ａと、整流部材１６４の偏向部１６４ａとによって囲まれた空間へ、空気流が流入した場合でも、シール部材１６６が配置されているので、空気流は、スリット１６４ｄから流出することができない。したがって、風きり音は発生しない。
上述の通り、本実施形態によるモータ支持台と整流部材とを採用すれば、モータ支持台と整流部材とは、ビス締結という比較的安価な作業方法で連結され、尚且つ、風きり音の原因となる隙間は、概ね塞がれる。
【００４６】
＜特徴＞
この空気調和装置の室外ユニット２では、モータ支持台１６３の第１プレート１６３ａと、整流部材１６４の偏向部１６４ａ端部との間に、隙間Ｓが形成される。この隙間Ｓには、帯状のシール部材１６５が設けられている。シール部材１６５の全長寸法は、整流部材１６４の全長寸法とほぼ同程度に設定されており、隙間Ｓが形成される位置に、予め貼り付けられ、モータ支持台１６３と整流部材１６４が締結された際に、モータ支持台１６３の第１プレート１６３ａと、整流部材１６４の偏向部１６４ａ端部によって圧縮される。さらに、ビス座１６４ｃ両端のスリット１６４ｄにも、シール部材１６６が設けられている。シール部材１６６は、予め、ビス座１６４ｃ両端のスリット１６４ｄを完全に覆うように貼り付けられ、モータ支持台１６３と整流部材１６４が締結された際に、モータ支持台１６３の第１プレート１６３ａと、整流部材１６４の偏向部１６４ａとによって挟まれ、圧縮され、スリット１６４ｄの開口へ押し出される。したがって、スリット部１６４ｄは、シール部材１６６によって塞がれる。
これにより、モータ支持台１６３と整流部材１６４とは、ビス締結という比較的安価な作業方法で連結され、尚且つ、風きり音の原因となる隙間は、概ね塞がれる。
【００４７】
＜他の実施形態＞
以上、本発明の空気調和装置の室外ユニットについて説明したが、具体的な構成は、上記の実施形態に限られるものではなく、発明の要旨を逸脱しない範囲で変更可能である。
【００４８】
例えば、上記実施形態では、モータ支持台と整流部材を別々に形成しているが、モータ支持台と整流部材を一体に形成してもよい。
【産業上の利用可能性】
【００４９】
以上のように本発明によれば、空気流に起因する騒音の低減が実現されるので、低騒音と高性能を目的とする空気調和装置の室外ユニットに有用である。
【図面の簡単な説明】
【００５０】
【図１】本発明の一実施形態に係る室外ユニットを含む空気調和装置の冷媒回路図。
【図２】本発明の一実施形態の空気調和装置の室外ユニットの内部構造図。
【図３】本発明の一実施形態の室外ユニットから一部の部材を取り除いた状態の外観斜視図。
【図４】図３のＡ−Ａ断面における、第１実施形態のモータ支持台と整流部材との配置を示す断面図。
【図５】図３のＡ−Ａ断面における、第２実施形態のモータ支持台と整流部材との配置を示す断面図。
【図６】第２実施形態による、モータ支持台と整流部材とシール部材との配置を示す斜視図。
【図７】第２実施形態による、モータ支持台と整流部材とシール部材との配置を示す分解斜視図。
【符号の説明】
【００５１】
１  空気調和装置
２  空気調和装置の室外ユニット
１０  冷媒回路
１３  室外熱交換器
２９  ファン
６３，１６３  モータ支持台
６４，１６４  整流部材
６４ａ，１６４ａ  偏向部
６４ｂ，１６４ｂ  ガイド部
７０  モータ
１６５，１６６  シール部材
【図１】
2007147249.tif 000003
【図２】
2007147249.tif 000004
【図３】
2007147249.tif 000005
【図４】
2007147249.tif 000006
【図５】
2007147249.tif 000007
【図６】
2007147249.tif 000008
【図７】
2007147249.tif 000009
【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
熱交換器（１３）に空気を当て冷媒と空気の熱交換を促進するファン（２９）と、
前記ファン（２９）を駆動するモータ（７０）と、
前記モータ（７０）を支えるモータ支持台（６３）と、
を備え、
前記モータ支持台（６３，１６３）は、
空気流の上流側に位置する第１プレート（６３ａ，１６３ａ）と、
前記空気流の下流側に位置する第２プレート（６３ｂ，１６３ｂ）と、
前記第１プレートと前記第２プレートとの間に位置する第３プレート（６３ｃ、１６３ｃ）と、
によって断面形状がコの字状になるように一体に形成され、
前記第１プレートを覆い、前記空気流の上流側から下流側への方向と直交する面への投影面積が、前記空気流の上流側から下流側に向かって徐々に拡大する偏向部（６４ａ，１６４ａ）と、
前記モータ（７０）の回転軸とほぼ並行に伸び、前記第１プレートと前記第２プレートと前記第３プレートとによって囲まれた空間の入口である開口（６３ｄ、１６３ｄ）と対峙するガイド部（６４ｂ，１６４ｂ）と、
から成る整流部材（６４，１６４）を有する、
空気調和装置の室外ユニット（２）。
【請求項２】
前記偏向部（６４ａ，１６４ａ）の断面形状が三角形である、
請求項１記載の空気調和装置の室外ユニット（２）。
【請求項３】
前記ガイド部（１６４ｂ）が、前記開口（１６３ｄ）を半ば覆うように、前記開口（１６３ｄ）と対峙している、
請求項１に記載の空気調和装置の室外ユニット（２）。
【請求項４】
前記モータ支持台（１６３）と前記整流部材（１６４）との隙間に、空気の通り抜けを抑制するシール部材（１６５，１６６）が設けられている、
請求項３に記載の空気調和装置の室外ユニット（２）。
【請求項５】
前記シール部材（１６５，１６６）は、前記モータ支持台（１６３）と前記整流部材（１６４）とを組み付ける際に圧縮される、
請求項４に記載の空気調和装置の室外ユニット（２）。
【手続補正２】
【補正対象書類名】明細書
【補正対象項目名】全文
【補正方法】変更
【補正の内容】
【発明の詳細な説明】
【技術分野】
【０００１】
本発明は、空気調和装置の室外ユニット、特に、ファンを回転駆動するモータが、ファンに対して空気流の上流側に配置されている空気調和装置の室外ユニットに関する。
【背景技術】
【０００２】
空気調和装置として、１つ又は複数の室外ユニットに対して複数の室内ユニットが接続されている、いわゆるビル用マルチタイプの空気調和装置がある。このような装置では、室外ユニットは一般にビルの屋上に設置され、この室外ユニットとビルの各室に設けられた室内ユニットとの間で冷媒が流通できるように、冷媒回路が形成されている。
【０００３】
従来の空気調和装置における室外ユニットは、直方体形状のケースを有しており、このケース内には熱交換器、圧縮機や他の構成部品が設けられている。そして、ケースの上部にはファン及びこのファンを駆動するためのモータが設けられている。
【０００４】
このような室外ユニットのモータは、モータ支持台に固定された状態で、ファンに対して空気流の上流側に配置されている（例えば、特許文献１参照）。
【特許文献１】特開２００４−３７００７号公報
【発明の開示】
【発明が解決しようとする課題】
【０００５】
従来の室外ユニットにおいて、モータ支持台は、重量物であるモータを固定するため、断面形状がコの字状を成すように形成され、剛性が確保されている。モータ支持台の下面は、空気の流れ方向に対してほぼ直角に対向しているので、空気流に対する抵抗となり、風きり音や振動音が発生する。モータの回転数が低下すれば、風量が減少し、風きり音や振動音も減少するが、空気調和装置の性能も低下することとなる。
【０００６】
本発明の課題は、空気流とモータ支持台に起因して発生する騒音が低減される、空気調和装置の室外ユニットを提供することである。
【課題を解決するための手段】
【０００７】
第１発明に記載の空気調和装置の室外ユニットは、室外熱交換器と、ファンと、ファンを駆動するモータと、モータを支えるモータ支持台とを備えている。ファンは、室外熱交換器に空気を当て、冷媒と空気の熱交換を促進する。モータ支持台は、第１プレートと第２プレートと第３プレートとによって断面形状がコの字状になるように一体に形成されている。第１プレートは空気流の上流側に位置し、第２プレートは空気流の下流側に位置し、第３プレートは第１プレートと第２プレートとの間に位置する。また、モータ支持台は、偏向部とカイド部から成る整流部材を有する。偏向部は、第１プレートを覆い、空気流の上流側から下流側への方向と直交する面への投影面積が、空気流の上流側から下流側に向かって徐々に拡大する。ガイド部は、モータの回転軸とほぼ並行に伸び、第１プレートと第２プレートと第３プレートとによって囲まれた空間の入口である開口と対峙する。
【０００８】
この室外ユニットでは、室外熱交換器を通過して上昇してくる空気流が、整流部材によって偏向され、空気流はモータ支持台を避けるように流れる。このため、モータ支持台に空気流が直接当たらず、空気流に対する抵抗が小さくなり、風きり音が減少する。また、偏向部によって偏向された空気流は、ガイド部によって、再び、偏向される前の方向に導かれる。このため、ファンに流入する空気流の方向が、ほぼ同一の方向へ統一される。したがって、ファンと空気流との干渉音は、ファンに流入する空気流の方向が統一されていないときよりも単調になり、異音の発生が抑制される。その結果、整流部材がない場合よりもファン回転数を上げることが可能となり、風量の増加によって空気調和装置の性能が向上する。
【０００９】
第２発明に記載の空気調和装置の室外ユニットは、第１発明に記載の空気調和装置の室外ユニットであって、偏向部の断面形状が三角形である。
【００１０】
ここでは、断面形状が三角形の偏向部によって、空気流が徐々に偏向され、モータ支持台の空気流に対する抵抗が小さくなり、空気流がモータ支持台を通過する際の風きり音が減少する。
【００１１】
第３発明に記載の空気調和装置の室外ユニットは、第１発明に記載の空気調和装置の室外ユニットであって、ガイド部が、開口を半ば覆うように、開口と対峙している。
【００１２】
ここでは、開口内での空気流の渦が減少し、その結果、空気流の渦に起因する振動音も減少する。
【００１３】
第４発明に記載の空気調和装置の室外ユニットは、第３発明に記載の空気調和装置の室外ユニットであって、モータ支持台と整流部材との隙間に、空気の通り抜けを抑制するシール部材が設けられている。
【００１４】
ここでは、モータ支持台へ整流部材を組付けた際に生じる部品間の隙間が、シール部材によって塞がれ、隙間からの空気流入が抑制され、或いは流入した空気が途中で塞き止められる。このため、空気が隙間をほとんど通過せず、風きり音の発生が減少する。
【００１５】
第５発明に記載の空気調和装置の室外ユニットは、第４発明に記載の空気調和装置の室外ユニットであって、モータ支持台と整流部材が組み付けられる際に、シール部材が圧縮される。
【００１６】
ここでは、例えば、モータ支持台と整流部材との隙間よりも大きい厚さ寸法のシール部材が、予め隙間発生箇所に貼付されることによって、シール部材は、モータ支持台と整流部材をビスで締め付けた際に、圧縮され、モータ支持台と整流部材の双方に密着する。このため、シールの不完全箇所がほぼなくなり、空気流の進入が抑制され、風きり音の発生が減少する。
【発明の効果】
【００１７】
第１発明と第２発明に係る空気調和装置の室外ユニットでは、モータ支持台に空気流が直接当たらず、空気流に対する抵抗が小さくなり、風きり音が減少する。また、ファンに流入する空気流の方向が、ほぼ同一の方向へ統一され、ファンと空気流との干渉音は、ファンに流入する空気流の方向が統一されていないときよりも単調になり、異音の発生が抑制される。
【００１８】
第３発明に係る空気調和装置の室外ユニットでは、空気流の渦に起因するモータ支持台の振動が抑制され、騒音が減少する。
【００１９】
第４発明と第５発明に係る空気調和装置の室外ユニットでは、シール部材が、モータ支持台と整流部材の双方に密着し、空気流の進入が抑制され、風きり音の発生が減少する。
【発明を実施するための最良の形態】
【００２０】
〔第１実施形態〕
＜空気調和装置の構成＞
本発明の第１実施形態に係る室外ユニットを含む空気調和装置の冷媒回路を、図１に示す。空気調和装置１は、ビル用のマルチタイプの空気調和装置であって、１つ又は複数の室外ユニット２に対して複数の室内ユニット３が並列に接続され、冷媒が流通できるように、冷媒回路１０が形成されている。
【００２１】
圧縮機１１、四路切換弁１２、室外熱交換器１３および室外膨張弁１４は室外ユニット２に含まれており、室内膨張弁１５および室内熱交換器１６は室内ユニット３に含まれている。また、四路切換弁１２と室内熱交換器１６との間はガス側冷媒連絡配管１７ａにより接続され、室外膨張弁１４と室内膨張弁１５との間は液側冷媒連絡配管１７ｂにより接続される。室外ユニット２の内部冷媒回路の端末部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。
【００２２】
なお、実際の圧縮機１１は、インバータによる回転数制御を行う容量可変のインバータ圧縮機と、オンオフ制御がなされる定容量の定容量圧縮機とが組み合わされて用いられるものが多い。
【００２３】
＜空気調和装置の動作＞
次にこの空気調和装置１の運転動作について説明する。
【００２４】
まず、冷房運転時は、四路切換弁１２が図１において実線で示す状態に保持される。圧縮機１１から吐出された高温高圧のガス冷媒は、四路切換弁１２を介して室外熱交換器１３に流入し、室外空気と熱交換して凝縮・液化する。液化した冷媒は、全開状態の室外膨張弁１４を通過し、液側冷媒連絡配管１７ｂを通って各室内ユニット３に流入する。室内ユニット３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内へと吹き出され、室内を冷房する。また、室内熱交換器１６で蒸発して気化した冷媒は、ガス側冷媒連絡配管１７ａを通って室外ユニット２に戻り、圧縮機１１に吸い込まれる。
【００２５】
一方、暖房運転時は、四路切換弁１２が図１において破線で示す状態に保持される。圧縮機１１から吐出された高温高圧のガス冷媒は、四路切換弁１２を介して各室内ユニット３の室内熱交換器１６に流入し、室内空気と熱交換して凝縮・液化する。冷媒の凝縮によって加熱された室内空気は、室内ファンによって室内へと吹き出され、室内を暖房する。室内熱交換器１６において液化した冷媒は、全開状態の室内膨張弁１５から液側冷媒連絡配管１７ｂを通って室外ユニット２に戻る。室外ユニット２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸い込まれる。
【００２６】
＜室外ユニットの構成＞
次に、図２から図４を参照して、室外ユニット２について説明する。図２は、室外ユニット２の内部構造を表した縦断面図であり、図３は、構成部品の一部を取り除いた室外ユニット２の外観を表した斜視図である。
【００２７】
図２、図３に示すように、室外ユニット２は、ケース２０と、冷媒回路１０の室外側部分を有する。冷媒回路１０の室外側は、圧縮機１１、室外熱交換器１３等から成る。ケース２０は、前板２１、右側板２２、後板２３、左側板２４、天板２５、底板６１によって、ほぼ直方体形状に形成されている。
【００２８】
圧縮機１１、室外熱交換器１３は、底板６１上に配置されている。本実施形態では、室外熱交換器１３は、右側板２２、後板２３、左側板２４の各内面に沿うように配置されている。
【００２９】
前板２１は、後述する側板２２，２４の端部に一体に形成された支柱５１，５２にビス締結によって固定されている。後板２３は、後述する側板２２，２４の端部に一体に形成された支柱５３，５４にビス締結によって固定されている。後板２３の室外熱交換器１３と対峙する領域は、空気導入用として開口（図示せず）しており、その開口には、保護金網（図示せず）が装着されている。
【００３０】
右側板２２、左側板２４は、空気導入口として、複数の通気部２０ａを有し、通気部２０ａの形状は四角形の孔である。本実施形態では、２つの側板２２，２４ともに、２列８段の合計１６個の通気部２０ａを有し、最上段の通気部２０ａ上辺は、室外熱交換器１３の鉛直方向の最上部より高く位置し、最下段の通気部２０ａ下辺は、室外熱交換器１３の鉛直方向の最下部とほぼ同じ高さに位置する。
【００３１】
なお、最上段２列の通気部２０ａの上辺からケース２０内側へ向かって、板部２０ｂが形成されている。板部２０ｂは、ケース２０を組み立てた際に、室外熱交換器１３上端の上側に位置し、室外熱交換器１３と、側板２２，２４との隙間を覆う。これは、通気部２０ａから吸い込まれた空気が室外熱交換器１３を通過せずに、その隙間を通ってファン２９に回り込むことを抑制するためであり、板部２０ｂは、空気の流れに対する抵抗板としての機能を果たしている。
【００３２】
天板２５は、中央部に円状の開口が形成されており、この開口を含むケース２０の上部に、ファン２９が回転自在に配置されている。ファン２９の周囲は、ベルマウス２９ａで囲まれている。天板２５の上側には、円状の開口を覆うように、格子状に形成された軟鋼線のファンカバー３０が装着されている。ファン２９は、その下方に配置されたモータ７０により回転駆動される。
【００３３】
ケース２０内の上部で、且つ前板２１寄りの位置には、制御ボックス４１が配置されており、制御ボックス４１は、内部に、空気調和装置１の動作を制御する制御基板を備えている。
【００３４】
支持梁６２は、後述のモータ支持台６３を保持する部材であり、前板２１側の支持梁６２と、後板２３側の支持梁６２とから成る。前板２１側の支持梁６２は、ケース２０上部に位置し、その両端は支柱５１，５２に固定されている。後板２３側の支持梁６２は、ケース２０上部に位置し、その両端は支柱５３，５４に固定されている。
【００３５】
モータ支持台６３は、モータ７０を固定する部材であり、２本並んで設けられている。２本のモータ支持台６３は、ともに一端は前板２１側の支持梁６２に保持され、他端は後板２３側の支持梁６２に保持されている。
【００３６】
モータ７０は、モータ本体７０ａと固定部７０ｂから成る。モータ本体７０ａは、回転の駆動源であり、固定部７０ｂは、モータ本体７０ａを２本のモータ支持台６３に固定する部材である。モータ７０の固定部７０ｂがモータ支持台６３に固定される位置は、機種によって異なり、モータ支持台６３のほぼ中央に固定される機種と、モータ支持台６３の後寄り（後板２３寄り）に固定される機種がある。本実施形態では、モータ７０の固定部７０ｂは、２本のモータ支持台６３のほぼ中央に位置し、ビス７１によってモータ支持台６３に締結される。モータ支持台６３の下方には、整流部材６４が装着されており、モータ支持台６３の下部を覆っている。
【００３７】
＜室外ユニットにおけるモータ支持台と整流部材の構造＞
図４は、モータ支持台６３と整流部材６４の配置を示す断面図であり、図４に示すように、モータ支持台６３は、重量物であるモータ７０を固定するために、高い剛性が必要である。そのため、第１プレート６３ａと、第２プレート６３ｂと、第３プレート６３ｃとによって、断面形状がコの字状になるように形成されている。第１プレート６３ａは、空気流Ａ１，Ａ２の上流側に位置し、第２プレート６３ｂは、空気流Ａ１，Ａ２の下流側に位置し、第３プレート６３ｃは、第１プレート６３ａと第２プレート６３ｂとの間に位置する。なお、開口６３ｄは、第１プレート６３ａと第２プレート６３ｂと第３プレート６３ｃとで囲まれた空間の入口である。本実施形態のモータ支持台６３では、厚さ２．３ｍｍの亜鉛鋼板が曲げ加工されることによって、第１プレート６３ａと第２プレート６３ｂと第３プレート６３ｃとが一体に形成されている。
【００３８】
整流部材６４は、偏向部６４ａと、ガイド部６４ｂとで構成されている。偏向部６４ａは、モータ支持台６３の第１プレート６３ａを覆い、ガイド部６４ｂは、モータ支持台６３の開口６３ｄを覆う。偏向部６４ａは、断面形状が三角になるように形成された棒状の部材であり、その三角の一頂点は、空気流Ａ１，Ａ２の上流側に向いている。なお、偏向部６４ａの断面形状は、三角形に限定されるものではなく、空気流Ａ１，Ａ２の上流側から下流側への方向と直交する面への投影面積が、空気流Ａ１，Ａ２の上流側から下流側に向かって徐々に拡大する形状であるならばよい。例えば、円弧状、尖塔状などの形状が適しているが、空気抵抗の小さい尖塔状が好ましい。
【００３９】
整流部材６４のガイド部６４ｂは、偏向部６４ａの端部から、モータ７０の回転軸と並行に伸びている。なお、上述の偏向部６４ａの端部とは、空気流Ａ１，Ａ２の下流側の端部のことである。また、整流部材６４のガイド部６４ｂは、モータ支持台６３の開口６３ｄを覆うように、開口６３ｄと対峙している。本実施形態の整流部材では、厚さ１ｍｍの亜鉛鋼板が曲げ加工されることによって、偏向部６４ａとガイド部６４ｂとが一体に形成されている。
【００４０】
また、本実施形態では、モータ支持台６３の第１プレート６３ａと、整流部材６４の偏向部６４ａは溶接によって連結されている。その第１溶接位置６５は、第１プレート６３ａの第３プレート６３ｃ側端部と、偏向部６４ａの空気流下流側端部との接点である。第２溶接位置６６は、モータ支持台６３の第２プレート６３ｂの開口６３ｄ側端部と、ガイド部６４ｂの空気流下流側端部との接点である。
【００４１】
＜室外ユニットにおける整流部材の機能＞
図２において、モータ７０がファン２９を回転させることによって、側板２２，２４の通気部２０ａ、後板２３の開口（図示せず）から、空気が吸い込まれる。吸い込まれた空気は空気流となって、室外熱交換器１３を通過し、ファン２９に向かって上昇してくる。しかし、モータ支持台６３に向かって流れてきた空気流は、整流部材６４の偏向部６４ａによって、モータ支持台６３を避けるように偏向される。そして、偏向部６４ａを経た空気流は、ガイド部６４ｂによって、再び、偏向される前の方向に戻される。
【００４２】
仮に、空気流が、その偏向された方向のまま維持された場合、ファン２９の回転軸と所定の角度を持って、ファン２９に吸い込まれる。ファン２９の回転軸と並行に吸い込まれる空気流と、ファン２９の回転軸と所定の角度を持って吸い込まれる空気流とが、ファン２９と干渉するため、異なる種類の干渉音が複合した音が発生し、異音のように感じられる。しかし、ガイド部６４ｂが、空気流の方向を、偏向される前の方向に戻すことによって、ファン２９に吸い込まれる空気流の方向は、ファン２９の回転軸と並行な方向にほぼ統一される。したがって、ファンと空気流との干渉音は、ファンに流入する空気流の方向が統一されていないときよりも単調になり、異音の発生が抑制される。
【００４３】
ファン２９に吸い込まれた空気流は、ベルマウス２９ａを経て室外ユニット２の外側へ放出される。
【００４４】
＜特徴＞
この空気調和装置の室外ユニット２では、モータ支持台６３が、第１プレート６３ａと、第２プレート６３ｂと、第３プレート６３ｃとによって、断面形状がコの字状を成すように形成されている。第１プレート６３ａは、空気流Ａ１，Ａ２の上流側に位置し、第２プレート６３ｂは、空気流Ａ１，Ａ２の下流側に位置し、第３プレート６３ｃは、第１プレート６３ａと第２プレート６３ｂとの間に位置する。第１プレート６３ａと、第２プレート６３ｂと、第３プレート６３ｃとで囲まれた空間の入口が、開口６３ｄである。モータ支持台６３には、空気流の上流側から流れてくる空気を所定の方向へ偏向させる整流部材６４が設けられている。整流部材６４は、偏向部６４ａとガイド部６４ｂを有する。偏向部６４ａの断面形状は三角形であり、その頂点が空気流の下流側へ向いた状態で、第１プレート６３ａの下方に配置されている。すなわち、偏向部６４ａは、空気流の上流側から下流側への方向と直交する面への投影面積が、空気流の上流側から下流側に向かって徐々に拡大している。一方、ガイド部６４ｂは、偏向部６４ａの、空気流の下流側の端部から、モータ７０の回転軸とほぼ並行に伸びており、開口６３ｄを概ね覆っている。室外熱交換器１３を通過して上昇してくる空気流は、整流部材６４の偏向部６４ａによって偏向され、モータ支持台６３を避けるように流れる。偏向部６４ａによって偏向された空気流は、ガイド部６４ｂによって、再び、偏向される前の方向に導かれる。
【００４５】
これにより、モータ支持台６３に空気流が直接当たらず、空気流に対する抵抗が小さくなり、風きり音が減少する。また、開口６３ｄは覆われているので、空気流の進入による渦の発生がほとんど無く、渦による振動音は発生しない。さらに、モータ支持台６３を通過しファン２９に流入する空気流の方向は、ほぼ同一の方向へ統一されるので、ファンと空気流との干渉音が、ファンに流入する空気流の方向が統一されていないときよりも単調になり、異音の発生が抑制される。
【００４６】
この結果、特許文献１（特開２００４−３７００７号公報）にあるような従来の空気調和装置の室外ユニットと比べて騒音が減少する。騒音が減少したことによって、ファン２９の回転数を上げることも可能となり、その場合、風量の増加によって空気調和装置の性能が向上する。
【００４７】
〔第２実施形態〕
次に、本発明の第２実施形態に係る空気調和装置の室外ユニットについて、図５〜図７を参照しながら説明する。なお、空気調和装置の構成、動作、及び室外ユニットにおいて、第１実施形態と同様である部分については、説明を省略する。
【００４８】
第１実施形態では、モータ支持台と整流部材とは、溶接によって連結されていたが、必ずしもこれに限定されるものではなく、例えば、ビスによる締結によって連結されてもよい。
【００４９】
図５は、モータ支持台１６３と整流部材１６４との配置を示す断面図である。図６は、モータ支持台１６３と整流部材１６４の配置を示す斜視図である。図７は、モータ支持台１６３と整流部材１６４との配置を示す分解斜視図である。
【００５０】
＜モータ支持台の構造＞
図５、図６に示すように、モータ支持台１６３は、第１プレート１６３ａと、第２プレート１６３ｂと、第３プレート１６３ｃとによって、断面形状がコの字状になるように形成されている。第１プレート１６３ａは、空気流Ａ１，Ａ２の上流側に位置し、第２プレート１６３ｂは、空気流Ａ１，Ａ２の下流側に位置し、第３プレート１６３ｃは、第１プレート１６３ａと第２プレート１６３ｂとの間に位置する。なお、開口１６３ｄは、第１プレート１６３ａと第２プレート１６３ｂと第３プレート１６３ｃとで囲まれた空間の入口である。
【００５１】
＜整流部材の構造＞
図５、図６に示すように、整流部材１６４は、偏向部１６４ａと、ガイド部１６４ｂとで構成されている。偏向部１６４ａは、モータ支持台１６３の第１プレート１６３ａを覆っている。整流部材１６４のガイド部１６４ｂは、偏向部１６４ａの端部から、モータ７０の回転軸と並行に伸びている。なお、上述の偏向部１６４ａの端部とは、空気流Ａ１，Ａ２の下流側の端部のことである。整流部材１６４のガイド部１６４ｂは、モータ支持台１６３の開口１６３ｄを半ば覆うように、開口１６３ｄと対峙している。
【００５２】
モータ支持台１６３と整流部材１６４とは、ビス１６７によって締結されている。図７に示すように、モータ支持台１６３の第１プレート１６３ａには、ビス１６７と螺合するビス孔１６３ｅが設けられている。整流部材１６４の偏向部１６４ａにおいて、モータ支持台１６３のビス孔１６３ｅと対応する箇所に、ビス１６７の頭部が接するビス座１６４ｃが形成されている。本実施形態では、先ず、ビス座１６４ｃとなる領域と隣接するように、スリット１６４ｄが穿孔によって形成される。その後、ビス座１６４ｃとなる領域が、モータ支持台１６３の第１プレート１６３ａ側へ近づく方向へ押し出され、ビス座１６４ｃが形成される。最後に、ビス座１６４ｃの中央に、ビス１６７と螺合するビス孔１６４ｅが穿孔によって形成される。
【００５３】
＜シール部材の構造＞
図５、図６に示すように、モータ支持台１６３と整流部材１６４を締結したとき、モータ支持台１６３の第１プレート１６３ａと、整流部材１６４の偏向部１６４ａ端部との間に、隙間Ｓが形成される。隙間Ｓは、モータ支持台１６３の第１プレート１６３ａと、整流部材１６４の偏向部１６４ａ端部との干渉を防止する上で重要である。本実施形態では、隙間Ｓの寸法は１ｍｍに設定されている。
【００５４】
一方、この隙間Ｓ内を空気流が通過した場合、風きり音が発生するので、空気流が隙間Ｓを通過できないように、隙間Ｓ内には、帯状のシール部材１６５が配置されている。本実施形態では、シール部材１６５は、ポリウレタン等の弾力性に富んだ熱可塑性樹脂を基板としており、少なくとも片面に粘着テープを有している。また、シール部材１６５の全長寸法は、整流部材１６４の全長寸法とほぼ同程度に設定され、シール部１６５の厚み寸法は、３ｍｍに設定されている。シール部材１６５は、隙間Ｓが形成される位置に予め貼り付けられて、モータ支持台１６３と整流部材１６４が締結された際に、モータ支持台１６３の第１プレート１６３ａと、整流部材１６４の偏向部１６４ａ端部エッジによって圧縮される。これによって、隙間Ｓは、完全に塞がれる。
【００５５】
また、ビス座１６４ｃ両端のスリット１６４ｄにも、シール部材１６６が設けられている。本実施形態では、シール部材１６６は、ポリウレタン等の弾力性に富んだ熱可塑性樹脂を基板として、少なくとも片面に粘着テープを有している。シール部材１６６は、予め、ビス座１６４ｃの両端を基準位置として、スリット１６４ｄを完全に覆うように貼り付けられ、モータ支持台１６３と整流部材１６４が締結された際に、モータ支持台１６３の第１プレート１６３ａと、整流部材１６４の偏向部１６４ａに挟まれ、圧縮される。圧縮されたシール部材１６６は、スリット１６４ｄの開口へ押し出されるので、スリット１６４ｄは、シール部材１６６によって完全に塞がれる。
【００５６】
モータ支持台１６３の第１プレート１６３ａと、整流部材１６４の偏向部１６４ａとによって囲まれた空間へ、空気流が流入した場合でも、シール部材１６６が配置されているので、空気流は、スリット１６４ｄから流出することができない。したがって、風きり音は発生しない。
【００５７】
上述の通り、本実施形態によるモータ支持台と整流部材とを採用すれば、モータ支持台と整流部材とは、ビス締結という比較的安価な作業方法で連結され、尚且つ、風きり音の原因となる隙間は、概ね塞がれる。
【００５８】
＜特徴＞
この空気調和装置の室外ユニット２では、モータ支持台１６３の第１プレート１６３ａと、整流部材１６４の偏向部１６４ａ端部との間に、隙間Ｓが形成される。この隙間Ｓには、帯状のシール部材１６５が設けられている。シール部材１６５の全長寸法は、整流部材１６４の全長寸法とほぼ同程度に設定されており、隙間Ｓが形成される位置に、予め貼り付けられ、モータ支持台１６３と整流部材１６４が締結された際に、モータ支持台１６３の第１プレート１６３ａと、整流部材１６４の偏向部１６４ａ端部によって圧縮される。さらに、ビス座１６４ｃ両端のスリット１６４ｄにも、シール部材１６６が設けられている。シール部材１６６は、予め、ビス座１６４ｃ両端のスリット１６４ｄを完全に覆うように貼り付けられ、モータ支持台１６３と整流部材１６４が締結された際に、モータ支持台１６３の第１プレート１６３ａと、整流部材１６４の偏向部１６４ａとによって挟まれ、圧縮され、スリット１６４ｄの開口へ押し出される。したがって、スリット部１６４ｄは、シール部材１６６によって塞がれる。
【００５９】
これにより、モータ支持台１６３と整流部材１６４とは、ビス締結という比較的安価な作業方法で連結され、尚且つ、風きり音の原因となる隙間は、概ね塞がれる。
【００６０】
＜他の実施形態＞
以上、本発明の空気調和装置の室外ユニットについて説明したが、具体的な構成は、上記の実施形態に限られるものではなく、発明の要旨を逸脱しない範囲で変更可能である。
【００６１】
例えば、上記実施形態では、モータ支持台と整流部材を別々に形成しているが、モータ支持台と整流部材を一体に形成してもよい。
【産業上の利用可能性】
【００６２】
以上のように本発明によれば、空気流に起因する騒音の低減が実現されるので、低騒音と高性能を目的とする空気調和装置の室外ユニットに有用である。
【図面の簡単な説明】
【００６３】
【図１】本発明の一実施形態に係る室外ユニットを含む空気調和装置の冷媒回路図。
【図２】本発明の一実施形態の空気調和装置の室外ユニットの内部構造図。
【図３】本発明の一実施形態の室外ユニットから一部の部材を取り除いた状態の外観斜視図。
【図４】図３のＡ−Ａ断面における、第１実施形態のモータ支持台と整流部材との配置を示す断面図。
【図５】図３のＡ−Ａ断面における、第２実施形態のモータ支持台と整流部材との配置を示す断面図。
【図６】第２実施形態による、モータ支持台と整流部材とシール部材との配置を示す斜視図。
【図７】第２実施形態による、モータ支持台と整流部材とシール部材との配置を示す分解斜視図。
【符号の説明】
【００６４】
１  空気調和装置
２  空気調和装置の室外ユニット
１０  冷媒回路
１３  室外熱交換器
２９  ファン
６３，１６３  モータ支持台
６４，１６４  整流部材
６４ａ，１６４ａ  偏向部
６４ｂ，１６４ｂ  ガイド部
７０  モータ
１６５，１６６  シール部材